(57)【要約】      （修正有）【課題】組立容易で光ファイバの煽りによる光学ブロックの回転を規制できるようにした光モジュールを提供する。【解決手段】基板２００に搭載される第１の光学ブロック２０と、光ファイバを保持する第２の光学ブロック４０とよりなる。基板２００の板面と平行な直交２方向をＸ方向、Ｚ方向とし、垂直方向をＹ方向とする時、第１の光学ブロック２０は基部２１とＺ方向に延長形成された一対の延長部を備え、第２の光学ブロック４０はＹ方向上方から一対の延長部間に収容される構造とされ、かつ一対の延長部間においてＺ方向に変位可能とされ、第２の光学ブロック４０のＺ方向における両端部には変位によりＸ方向及びＹ方向の双方において一対の延長部に位置決めされる位置決め部（４２，４３）が形成され、第２の光学ブロック４０における光ファイバ３００の延伸方向及び基部２１と第２の光学ブロック４０間の光の入出射方向は共にＺ方向とされる。【選択図】図２
2018091946.tif 000002
【特許請求の範囲】
【請求項１】
基板に搭載される第１の光学ブロックと、光ファイバを保持し、前記第１の光学ブロックと組み合わされる第２の光学ブロックとを備える光モジュールであって、
前記基板の板面と平行な直交２方向をＸ方向、Ｚ方向とし、前記板面と垂直方向をＹ方向とする時、前記第１の光学ブロックは、基部と、前記基部からＺ方向に延長形成された一対の延長部とを備え、
前記第２の光学ブロックは、Ｙ方向上方から前記一対の延長部間に収容される構造とされ、かつ前記一対の延長部間においてＺ方向に変位可能とされ、
前記第２の光学ブロックのＺ方向における両端部には、前記変位によりＸ方向及びＹ方向の双方において前記一対の延長部に位置決めされる位置決め部がそれぞれ形成されており、
前記第２の光学ブロックにおける前記光ファイバの延伸方向及び前記基部と前記第２の光学ブロック間の光の入出射方向は、共にＺ方向とされていることを特徴とする光モジュール。
【請求項２】
請求項１記載の光モジュールにおいて、
前記第２の光学ブロックの両端部の各前記位置決め部は、共に前記第２の光学ブロックのＺ方向に沿う両側面から互いに外向きに突出形成された一対の突出部とされ、
前記一対の突出部を収容して位置決めする溝が前記一対の延長部の基端部及び先端部における互いの内側面にそれぞれ形成されていることを特徴とする光モジュール。
【請求項３】
請求項１又は２記載の光モジュールにおいて、
前記第１の光学ブロックからの前記第２の光学ブロックのＺ方向への抜けを阻止する抜け止め手段を備え、
前記抜け止め手段は、先端に爪が形成されたばね片と、前記爪と突き当たる突部とよりなり、
前記一対の延長部と前記第２の光学ブロックの一方に前記ばね片が形成され、他方に前記突部が形成されていることを特徴とする光モジュール。
【請求項４】
請求項１乃至３記載のいずれかの光モジュールにおいて、
前記基部は、前記基板に実装された光素子が位置する空間を下面に有し、前記板面と４５°をなす反射面を備えていることを特徴とする光モジュール。
【発明の詳細な説明】
【技術分野】
【０００１】
この発明は光素子等と光ファイバとを光学的に接続するために用いる光モジュールに関する。
【背景技術】
【０００２】
図１１はこの種の光モジュールの従来例として特許文献１に記載されている構成を示したものであり、光モジュールはこの例では光素子１１が搭載された回路基板１２と、回路基板１２を収容し、光ケーブル１３の端部が固定されたハウジング１４と、光ケーブル１３からハウジング１４内に導入された光ファイバ１５が余長を有して保持された光ファイバ保持部材１６と、回路基板１２に固定され、回路基板１２上の光素子１１と光ファイバ１５とを光学的に接続する光結合部材１７とを備えている。光結合部材１７と光ファイバ保持部材１６はガイドピン１７ａとガイド穴１６ａとの嵌合により連結されている。
【０００３】
光結合部材１７は光素子１１を覆うように回路基板１２に取り付けられており、光結合部材１７における光ファイバ保持部材１６との対向面にはレンズ面１７ｂが形成され、光素子１１との対向面にもレンズ面（不図示）が形成されている。また、光結合部材１７の上面には反射面１７ｃが形成されている。
【０００４】
光素子１１を構成する例えば発光素子から発光した光は、レンズ面を通って光結合部材１７に入射し、反射面１７ｃによって反射された後、レンズ面１７ｂによって光ファイバ保持部材１６に固定された光ファイバ１５の端面に光結合される。
【０００５】
このように図１１に示した光モジュールは光素子１１と光ファイバ１５とを光学的に接続するものとなっており、この例では光ファイバ保持部材１６と光結合部材１７の光学的接続方向及び機械的接続方向は共に回路基板１２の板面と平行となっている。
【先行技術文献】
【特許文献】
【０００６】
【特許文献１】特開２０１３−１４０２１１号公報
【発明の概要】
【発明が解決しようとする課題】
【０００７】
上述したように、図１１に示した従来の光モジュールは光ファイバ保持部材１６と光結合部材１７の光学的接続方向も機械的接続方向も回路基板１２の板面と平行なため、低背に構成することができるものの、組立てが難しいといった問題がある。即ち、組立て時に光ファイバ保持部材１６を光ファイバ１５の延伸方向に（回路基板１２の板面と平行方向に）スライドさせる必要があるため、例えば光ケーブル１３の端部で光ファイバ１５が固定されている場合、光ファイバ１５を撓ませる必要があり、撓みによって光ファイバ１５が損傷するといった不具合も発生する虞があるため、組立てを容易に行うことはできない。
【０００８】
また、光ファイバ保持部材１６と光結合部材１７の機械的接続は光結合部材１７に設けられているガイドピン１７ａを光ファイバ保持部材１６のガイド穴１６ａに挿入することによって行われているが、ガイドピン１７ａの挿入方向は回路基板１２の板面と平行であり、図１１中に記載したようにＸ，Ｙ，Ｚの直交３軸を定義した時、光ファイバ保持部材１６はＸ方向に配列された一対のガイドピン１７ａによりＺ方向（回路基板１２の板面と平行方向）の一端側（接合端面側）で位置決めされ、つまり動きが規制されているだけであり、よって光ファイバ１５（光ケーブル１３）が例えばＹ方向（回路基板１２の板面と垂直方向）に煽られた場合、光ファイバ保持部材１６はＸ軸回りに回転し易く、回転により光接続性能が損なわれるといった不具合が生じうる。
【０００９】
このような光ファイバ保持部材１６のＸ軸回りの回転を規制するためには、例えばガイドピン１７ａとガイド穴１６ａを長くすればよいが、ガイドピン１７ａの挿入長さを長くすると、さらに組立てが困難になってしまう。
【００１０】
この発明の目的はこのような問題に鑑み、容易に組み立てることができるようにし、かつ光ファイバが煽られても光ファイバを保持する光学ブロックの回転を規制できるようにした光モジュールを提供することにある。
【課題を解決するための手段】
【００１１】
請求項１の発明によれば、基板に搭載される第１の光学ブロックと、光ファイバを保持し、第１の光学ブロックと組み合わされる第２の光学ブロックとを備える光モジュールにおいて、基板の板面と平行な直交２方向をＸ方向、Ｚ方向とし、前記板面と垂直方向をＹ方向とする時、第１の光学ブロックは基部と、基部からＺ方向に延長形成された一対の延長部とを備え、第２の光学ブロックはＹ方向上方から一対の延長部間に収容される構造とされ、かつ一対の延長部間においてＺ方向に変位可能とされ、第２の光学ブロックのＺ方向における両端部には前記変位によりＸ方向及びＹ方向の双方において一対の延長部に位置決めされる位置決め部がそれぞれ形成され、第２の光学ブロックにおける光ファイバの延伸方向及び基部と第２の光学ブロック間の光の入出射方向は共にＺ方向とされる。
【００１２】
請求項２の発明では請求項１の発明において、第２の光学ブロックの両端部の各位置決め部は共に第２の光学ブロックのＺ方向に沿う両側面から互いに外向きに突出形成された一対の突出部とされ、一対の突出部を収容して位置決めする溝が一対の延長部の基端部及び先端部における互いの内側面にそれぞれ形成されているものとされる。
【００１３】
請求項３の発明では請求項１又は２の発明において、第１の光学ブロックからの第２の光学ブロックのＺ方向への抜けを阻止する抜け止め手段を備え、抜け止め手段は先端に爪が形成されたばね片と、爪と突き当たる突部とよりなり、一対の延長部と第２の光学ブロックの一方にばね片が形成され、他方に突部が形成されているものとされる。
【００１４】
請求項４の発明では請求項１乃至３のいずれかの発明において、基部は基板に実装された光素子が位置する空間を下面に有し、前記板面と４５°をなす反射面を備える。
【発明の効果】
【００１５】
この発明によれば、光ファイバを保持する第２の光学ブロックは光ファイバの延伸方向（Ｚ方向）における両端部がＸ方向及びＹ方向の双方において位置決めされるため、光ファイバがＹ方向やＸ方向に煽られても第２の光学ブロックがＸ軸回りやＹ軸回りに回転するといった状況は発生しない。よって、第２の光学ブロックの回転により光接続性能が損なわれるといった不具合は発生しない。
【００１６】
また、第２の光学ブロックをＹ方向（基板の板面と垂直方向）上方から第１の光学ブロックに組み込んだ後、Ｚ方向にわずかに移動させることにより光モジュールを組み立てることができるため、容易に組み立てることができる。
【図面の簡単な説明】
【００１７】
【図１】この発明による光モジュールの第１の実施例が基板に搭載された状態を示す斜視図。
【図２】Ａは図１に示した状態の光モジュールの平面図、Ｂはその正面図、Ｃはその右側面図、ＤはＡのＦ−Ｆ線断面図、ＥはＡのＧ−Ｇ線断面図。
【図３】Ａは図１における第１の光学ブロックの平面図、Ｂはその斜視図、Ｃはその右側面図、ＤはＡのＦ−Ｆ線断面図、ＥはＡのＧ−Ｇ線断面図。
【図４】Ａは図１における第２の光学ブロックの平面図、Ｂはその正面図、Ｃはその斜視図、ＤはＡのＥ−Ｅ線断面図。
【図５】図１に示した光モジュールの組立てを説明するための図。
【図６】この発明による光モジュールの第２の実施例が基板に搭載された状態を示す斜視図。
【図７】Ａは図６に示した状態の光モジュールの平面図、Ｂはその正面図、Ｃはその右側面図、ＤはＡのＦ−Ｆ線断面図、ＥはＡのＧ−Ｇ線断面図。
【図８】Ａは図６における第１の光学ブロックの平面図、Ｂはその斜視図、Ｃはその右側面図、ＤはＡのＦ−Ｆ線断面図、ＥはＡのＧ−Ｇ線断面図。
【図９】Ａは図６における第２の光学ブロックの平面図、Ｂはその正面図、Ｃはその斜視図、ＤはＡのＥ−Ｅ線断面図。
【図１０】図６に示した光モジュールの組立てを説明するための図。
【図１１】Ａは光モジュールの従来例を示す断面図、ＢはＡに示したＣ−Ｃ線における光モジュールの断面図。
【発明を実施するための形態】
【００１８】
この発明の実施形態を図面を参照して実施例により説明する。
【実施例１】
【００１９】
図１及び図２はこの発明による光モジュールの実施例１が基板に搭載された状態を示したものであり、光モジュール１００は第１の光学ブロック２０と第２の光学ブロック４０とよりなる。図３及び図４はこれら第１の光学ブロック２０及び第２の光学ブロック４０の詳細構造を示したものであり、まず図３及び図４を参照して第１の光学ブロック２０及び第２の光学ブロック４０の構造について説明する。なお、以下においては図１及び図２に示した基板２００の板面と平行な直交２方向をＸ方向、Ｚ方向とし、基板２００の板面と垂直方向をＹ方向として説明する。
【００２０】
第１の光学ブロック２０は図３に示したように略直方体状をなす基部２１と一対の延長部２２とを備える。基部２１と延長部２２のＹ方向の厚さは等しくされている。一対の延長部２２は基部２１のＸ方向に沿う側面２１ａにおけるＸ方向の両端部からＺ方向に延長されて形成されている。
【００２１】
一対の延長部２２の延伸方向における基端部２３及び先端部２４はそれぞれ断面コ字形状をなし、コ字の開口は互いに内向きとされて対向されている。一対の延長部２２の基端部２３及び先端部２４はこのような断面形状とされ、これにより互いの内側面に溝２５を有する形状となっている。
【００２２】
一対の延長部２２における基端部２３と先端部２４間の中間部２６は、基端部２３及び先端部２４がなす断面形状のコ字の一方の脚部がなく、Ｙ方向上方に開放された断面Ｌ字形状をなす。これら中間部２６の互いに対向する側壁２６ａの互いの内側面には凹部２７及び２８がそれぞれ対向して形成されている。凹部２７及び２８は基端部２３側の内壁面がそれぞれ傾斜面２７ａ，２８ａとされて断面台形状をなし、先端部２４寄りにＺ方向に配列されて形成されている。凹部２７と２８の間には突部２９が構成されている。
【００２３】
基部２１の下面２１ｂには素子収容用の空間３１が形成されており、この空間３１の天面には集光用のレンズ３２が形成されている。レンズ３２はこの例では４つ、図３Ｄに示した位置においてＸ方向に配列されて形成されている。基部２１の上面２１ｃには凹部３３が形成されており、この凹部３３の内面におけるレンズ３２の上方に位置する部分には反射面３４が形成されている。
【００２４】
上記のような構造を有する第１の光学ブロック２０は光を透過する樹脂製とされ、樹脂成形により形成される。
【００２５】
第２の光学ブロック４０は図４に示したように略直方体状をなす保持部４１と各一対の突出部４２，４３と一対のばね片４４とを備える。一対の突出部４２は保持部４１のＺ方向における一端部において、保持部４１のＺ方向に沿う両側面４１ａ，４１ｂから互いに外向きに突出されて形成されており、一対の突出部４３は保持部４１のＺ方向における他端部において、一対の突出部４２と同様、両側面４１ａ，４１ｂから互いに外向きに突出されて形成されている。これら各一対の突出部４２，４３は位置決め部として機能する。
【００２６】
一対の突出部４２の互いの外側面及び一対の突出部４３の互いの外側面にはリブ状をなす突起４２ａ，４３ａがＺ方向に伸長してそれぞれ形成されており、また一対の突出部４２の上面及び一対の突出部４３の上面にもリブ状をなす突起４２ｂ，４３ｂがＺ方向に伸長してそれぞれ形成されている。
【００２７】
一対のばね片４４は一対の突出部４２の、突出部４３に向く側面から突出部４３に向かってＺ方向に延長されて形成されている。これらばね片４４の先端の互いの外側面には爪４５が突出形成されている。爪４５の、突出部４２側に向く側面は傾斜面４５ａとされている。一対のばね片４４の互いの内側面は保持部４１の側面４１ａ，４１ｂと所定量離間されている。
【００２８】
保持部４１の上面４１ｃにはＺ方向において突出部４３が位置する側の一端から突出部４２が位置する他端の近くまで凹部４６が形成され、凹部４６の内端側には一段高くされた段部４７が形成されている。段部４７にはＶ溝４８がＺ方向に伸長して形成されている。Ｖ溝４８はこの例では４本形成されている。
【００２９】
突出部４２が位置する側における保持部４１のＸ方向に沿う端面４１ｄにはＹ方向全長に渡って凹部４９が形成されており、凹部４９の底面には４本のＶ溝４８の各延長上に位置してレンズ５１が４つ形成されている。
【００３０】
第２の光学ブロック４０は第１の光学ブロック２０と同様、光を透過する樹脂製とされ、樹脂成形によって形成される。
【００３１】
次に、第１の光学ブロック２０と第２の光学ブロック４０とよりなる光モジュール１００の組立て、基板２００への搭載について、図５を参照して説明する。
【００３２】
図５（１）に示したように、第２の光学ブロック４０の４本のＶ溝４８に光ファイバ３００を搭載して位置決め固定する。第１の光学ブロック２０は光素子４００が実装された基板２００（図２Ｄ参照）に搭載し、接着固定する。光ファイバ３００を保持した第２の光学ブロック４０をＹ方向上方から第１の光学ブロック２０の一対の延長部２２間に組み込む。この際、第２の光学ブロック４０は一対のばね片４４の先端の爪４５が一対の延長部２２の先端側に位置する凹部２８に収容されるように組み込む。図５（２）はこのようにして第２の光学ブロック４０が第１の光学ブロック２０に組み込まれて収容された状態を示したものである。
【００３３】
図５（２）の状態において、第２の光学ブロック４０は保持部４１が第１の光学ブロック２０の基部２１に近づく方向に所要の押圧力を加えられれば、その方向に（Ｚ方向に）一対の延長部２２間で変位可能とされており、そのように押圧力を加えることによって第２の光学ブロック４０はＺ方向に変位し（移動し）、図５（３）に示した状態となり、即ち図１及び図２に示した状態となる。
【００３４】
この変位の際、第２の光学ブロック４０の一対のばね片４４は爪４５が第１の光学ブロック２０の一対の延長部２２の突部２９によって押し込まれて互いに近づく方向に撓み、爪４５が突部２９を乗り越えると弾性復帰して爪４５が図５（３）に示したようにもう一方の凹部２７に入り込む。これにより、一対の延長部２２間から抜け出る方向への第２の光学ブロック４０の移動は爪４５が突部２９に突き当たることによって規制され、第２の光学ブロック４０は抜け止めされる。
【００３５】
一方、第２の光学ブロック４０の各一対の突出部４２，４３は，図２Ｅ，Ｃに示したように第１の光学ブロック２０の一対の延長部２２の基端部２３及び先端部２４の溝２５にそれぞれ挿入、嵌合され、これにより第２の光学ブロック４０の保持部４１は第１の光学ブロック２０の基部２１に対してＸ方向及びＹ方向の双方において位置決めされた状態となる。
【００３６】
第１の光学ブロック２０と第２の光学ブロック４０は上述したように位置決めされ、第１の光学ブロック２０の基部２１と第２の光学ブロック４０の保持部４１は高い精度をもって組み立てられる。
【００３７】
第１の光学ブロック２０は図２Ｄに示したようにレンズ３２が光素子４００の上方に位置するように、即ち光素子４００の光軸とレンズ３２の光軸が一致されて基板２００に搭載固定されており、光素子４００は第１の光学ブロック２０に形成されている空間３１に収容位置されている。
【００３８】
光素子４００はＶＣＳＥＬ（Ｖｅｒｔｉｃａｌ  Ｃａｖｉｔｙ  Ｓｕｒｆａｃｅ  Ｅｍｉｔｔｉｎｇ  Ｌａｓｅｒ）等の発光素子やＰＤ（Ｐｈｏｔｏ  Ｄｉｏｄｅ）等の受光素子とされ、この例では最大４つの光素子４００と光ファイバ３００とが高い結合効率で（低損失で）光接続される。
【００３９】
図２Ｄには光素子４００をＶＣＳＥＬとした場合の光の進行を示しており、光素子４００から出射された出射光ａはレンズ３２により平行光ｂとなり、平行光ｂは基板２００の板面と４５°をなす反射面３４で進行方向が９０°変換されて基部２１の側面２１ａから出射する。側面２１ａから出射された平行光は空間を通って保持部４１のレンズ５１に達し、レンズ５１で集光されて光ファイバ３００の端面に入射される。このようにこの例ではレンズ３２，５１と反射面３４を介して光素子４００と光ファイバ３００とが光学的に接続されるものとなっており、第２の光学ブロック４０に保持されている光ファイバ３００の延伸方向及び第１の光学ブロック２０の基部２１と第２の光学ブロック４０の保持部４１間の光の入出射方向は共に基板２００の板面と平行なＺ方向となっている。
【００４０】
なお、第２の光学ブロック４０はＺ方向において第１の光学ブロック２０からの抜けが阻止されているものの、第１の光学ブロック２０の基部２１と第２の光学ブロック４０の保持部４１とはＺ方向において厳密には位置決めされていない構成となっているが、基部２１と保持部４１間の入出射光は基板２００の板面と平行な平行光であって、平行光の空間伝播による光結合となっているため、基部２１と保持部４１とはＺ方向において高精度に位置決めしなくてもよく、このような構成を採用しても問題はない。
【００４１】
以上、この発明による光モジュールの実施例１の構成について説明したが、上述した光モジュール１００によれば以下に示すような効果を得ることができる。
【００４２】
１）光ファイバ３００を保持する第２の光学ブロック４０はＺ方向（光ファイバ３００の延伸方向）に離れた２箇所（Ｚ方向における両端）でＸ方向及びＹ方向の双方において位置決めされるため、光ファイバ３００がＹ方向やＸ方向に煽られてもＸ軸回りやＹ軸回りに第２の光学ブロック４０が回転するといった状況は発生せず、よって回転により光接続性能が損なわれるといった不具合を解消することができる。
【００４３】
２）光モジュール１００は第２の光学ブロック４０をＹ方向（基板２００の板面と垂直方向）上方から第１の光学ブロック２０の一対の延長部２２間に組み込んだ後、Ｚ方向（基板２００の板面と平行方向）にわずかに移動させることにより組み立てることができるため、容易に組み立てることができる。
【００４４】
３）第１の光学ブロック２０には反射面３４が形成され、第１の光学ブロック２０と第２の光学ブロック４０の光学的接続方向は基板２００の板面と平行であって、光素子４００の直上で第１の光学ブロック２０と第２の光学ブロック４０が重ならないため、光モジュール１００を低背に構成することができる。
【実施例２】
【００４５】
図６及び図７はこの発明による光モジュールの実施例２が基板に搭載された状態を示したものであり、光モジュール５００は第１の光学ブロック２０’と第２の光学ブロック４０’とよりなる。図８及び図９はこれら第１の光学ブロック２０’と第２の光学ブロック４０’の詳細構造を示したものであり、まず図８及び図９を参照して第１の光学ブロック２０’及び第２の光学ブロック４０’の構造について説明する。なお、実施例１の第１の光学ブロック２０及び第２の光学ブロック４０の構造と対応する部分には同一符号を付し、その詳細な説明を省略する。
【００４６】
第１の光学ブロック２０’は図８に示したような構造とされ、実施例１の第１の光学ブロック２０の構造に対し、一対の延長部２２に凹部２７，２８及び凹部２７，２８間の突部２９がなく、一対の延長部２２にそれぞればね片３５が形成されているものとされる。
【００４７】
ばね片３５は一対の延長部２２の中間部２６の側壁２６ａに、延長部２２の先端部２４から基端部２３に向かってＺ方向に延長されて形成されている。これらばね片３５の先端の互いの内側面には爪３６が突出形成されている。爪３６の、先端部２４側に向く側面は傾斜面３６ａとされている。
【００４８】
第２の光学ブロック４０’は図９に示したような構造とされ、実施例１の第２の光学ブロック４０の構造に対し、一対のばね片４４がなく、保持部４１はＸ方向の幅が実施例１よりやや幅広とされており、この保持部４１の両側面４１ａ，４１ｂに各一対の突出部４２，４３に加え、さらに各一対の突部５２，５３が形成されているものとされる。
【００４９】
一対の突部５２は突出部４２寄りに形成されており、突出部４２側に向く側面は傾斜面５２ａとされている。一対の突部５３はＺ方向において突部５２と突出部４３との間に形成されている。
【００５０】
実施例１では爪４５を有するばね片４４が第２の光学ブロック４０に形成され、爪４５と突き当たる突部２９が第１の光学ブロック２０に形成されて、第２の光学ブロック４０の抜け止め手段が構成されていたが、実施例２では実施例１とは逆に爪３６を有するばね片３５が第１の光学ブロック２０’に形成され、爪３６と突き当たる突部５２が第２の光学ブロック４０’に形成された構成となっている。
【００５１】
上記のような構造を有する第１の光学ブロック２０’及び第２の光学ブロック４０’は実施例１と同様、光を透過する樹脂製とされ、樹脂成形によって形成される。
【００５２】
次に、第１の光学ブロック２０’と第２の光学ブロック４０’とよりなる光モジュール５００の組立て、基板２００への搭載について図１０を参照して説明する。
【００５３】
図１０（１）に示したように、第２の光学ブロック４０’の４本のＶ溝４８に光ファイバ３００を搭載して位置決め固定する。第１の光学ブロック２０’は光素子４００が実装された基板２００（図７Ｄ参照）に搭載し、接着固定する。光ファイバ３００を保持した第２の光学ブロック４０’をＹ方向上方から第１の光学ブロック２０’の一対の延長部２２間に組み込む。この際、第２の光学ブロック４０’は各一対の突部５２，５３が延長部２２に形成されているばね片３５の爪３６と先端部２４との間に収容されるように組み込む。図１０（２）はこのようにして第２の光学ブロック４０’が第１の光学ブロック２０’に組み込まれて収容された状態を示したものである。
【００５４】
図１０（２）の状態において、第２の光学ブロック４０’は実施例１と同様、保持部４１が第１の光学ブロック２０’の基部２１に近づく方向に所要の押圧力を加えられれば、その方向に（Ｚ方向に）一対の延長部２２間で変位可能とされており、そのように押圧力を加えることによって第２の光学ブロック４０’はＺ方向に変位し（移動し）、図１０（３）に示した状態となり、即ち図６及び図７に示した状態となる。
【００５５】
この変位の際、第２の光学ブロック４０’の一対の突部５２は第１の光学ブロック２０’の一対のばね片３５を押し広げてばね片３５の爪３６を乗り越える。突部５２が爪３６を乗り越えると、ばね片３５は弾性復帰し、爪３６は第２の光学ブロック４０’の突部５２と５３との間に入り込む。これにより、一対の延長部２２から抜け出る方向への第２の光学ブロック４０’の移動は突部５２が爪３６に突き当たることによって規制され、第２の光学ブロック４０’は抜け止めされる。
【００５６】
一方、第２の光学ブロック４０’の各一対の突出部４２，４３は実施例１と同様、図７Ｅ，Ｃに示したように第１の光学ブロック２０’の一対の延長部２２の基端部２３及び先端部２４の溝２５にそれぞれ挿入、嵌合され、これにより第２の光学ブロック４０’の保持部４１は第１の光学ブロック２０’の基部２１に対してＸ方向及びＹ方向の双方において位置決めされた状態となる。
【００５７】
第１の光学ブロック２０’と第２の光学ブロック４０’は上述したように位置決めされ、第１の光学ブロック２０’の基部２１と第２の光学ブロック４０’の保持部４１は高い精度をもって組み立てられ、実施例１と同様、光素子４００と光ファイバ３００とはレンズ３２，５１と反射面３４を介して高い結合効率で光接続される。第２の光学ブロック４０’に保持されている光ファイバ３００の延伸方向及び第１の光学ブロック２０’の基部２１と第２の光学ブロック４０’の保持部４１間の光の入出射方向は共に基板２００の板面と平行なＺ方向となっている。
【００５８】
なお、この実施例２においても第１の光学ブロック２０’の基部２１と第２の光学ブロック４０’の保持部４１とはＺ方向において厳密には位置決めされていない構成となっているが、前述の実施例１で示した理由により、問題はない。
【００５９】
以上、この発明による光モジュールの実施例２の構成について説明したが、この実施例２においても前述の実施例１で記載した効果１）〜３）と同様の効果を得ることができる。
【符号の説明】
【００６０】
１１    光素子                              １２    回路基板
１３    光ケーブル                          １４    ハウジング
１５    光ファイバ                          １６    光ファイバ保持部材
１６ａ    ガイド穴                          １７    光結合部材
１７ａ    ガイドピン                        １７ｂ    レンズ面
１７ｃ    反射面                            ２０，２０’    第１の光学ブロック
２１    基部                                ２１ａ    側面
２１ｂ    下面                              ２１ｃ    上面
２２    延長部                              ２３    基端部
２４    先端部                              ２５    溝
２６    中間部                              ２６ａ    側壁
２７，２８    凹部                          ２７ａ，２８ａ    傾斜面
２９    突部                                ３１    空間
３２    レンズ                              ３３    凹部
３４    反射面                              ３５    ばね片
３６    爪                                  ３６ａ    傾斜面
４０，４０’    第２の光学ブロック          ４１    保持部
４１ａ，４１ｂ    側面                      ４１ｃ    上面
４１ｄ    端面                              ４２    突出部
４２ａ，４２ｂ    突起                      ４３    突出部
４３ａ，４３ｂ    突起                      ４４    ばね片
４５    爪                                  ４５ａ    傾斜面
４６    凹部                                ４７    段部
４８    Ｖ溝                                ４９    凹部
５１    レンズ                              ５２    突部
５２ａ    傾斜面                            ５３    突部
１００    光モジュール                      ２００    基板
３００    光ファイバ                        ４００    光素子
５００    光モジュール
【図１】
2018091946.tif 000003
【図２】
2018091946.tif 000004
【図３】
2018091946.tif 000005
【図４】
2018091946.tif 000006
【図５】
2018091946.tif 000007
【図６】
2018091946.tif 000008
【図７】
2018091946.tif 000009
【図８】
2018091946.tif 000010
【図９】
2018091946.tif 000011
【図１０】
2018091946.tif 000012
【図１１】
2018091946.tif 000013